(57)【特許請求の範囲】
【請求項１】
左右のメインビーム（５ａ・５ａ）に、各々フロントパイプステー（５１・５１）を溶接等により固設し、該メインビーム（５ａ・５ａ）の前方において、ロアリンクブラケット（５ｂ・５ｂ）に取り付けたフロントパイプ（５２）を左右方向に横設し、該フロントパイプ（５２）はロアリンクブラケット（５ｂ・５ｂ）の左右外方へ延設し、該フロントパイプ（５２）とフロントパイプステー（５１・５１）とを連結し、メインビーム（５ａ・５ａ）とロアリンクブラケット（５ｂ・５ｂ）の取付強度を補強する構成において、該フロントパイプ（５２）のロアリンクブラケット（５ｂ・５ｂ）との接続部分に、第一フランジ（５２ａ・５２ａ）を形成し、該第一フランジ（５２ａ・５２ａ）とロアリンクブラケット（５ｂ・５ｂ）とをボルト（５４）等の締結部材により締結し、該フロントパイプ（５２）の前記フロントパイプステー（５１・５１）との接続部分には第二フランジ（５２ｂ・５２ｂ）を形成し、該第二フランジ（５２ｂ・５２ｂ）とフロントパイプステー（５１・５１）とを、ボルト（５４）等の締結部材により締結し、該ロアリンクブラケット（５ｂ・５ｂ）のフロントパイプ（５２）取付部分は、下方に開放した略半円形状の凹部（５ｅ）が形成し、該フロントパイプ（５２）をロアリンクブラケット（５ｂ・５ｂ）に取り付ける時には、該凹部（５ｅ）にフロントパイプ５２を下方から嵌入し、フロントパイプ（５２）のロアリンクブラケット（５ｂ・５ｂ）への着脱を行なうべく構成したことを特徴とするロータリー耕耘装置。
【発明の詳細な説明】
【０００１】
【発明の属する技術分野】
本発明は、トラクタ等に装着されるロータリー耕耘装置の構成に関する。
【０００２】
【従来の技術】
従来、トラクタ等の作業車両に装着されるロータリー耕耘装置においては、ロータリー耕耘装置を作業車両へ接続するための左右一対のロアリンクブラケットから左右外方へメインビームが延出されており、左右一方のメインビームには、作業車両からのＰＴＯ出力を耕耘爪軸に伝達する伝導軸が内装されている。そして、該ロアリンクブラケットとメインビームとの間にはステーを介装して、該メインビームのロアリンクブラケットへの取り付け強度を補強していた。この場合、ステーとメインビーム、及びステーとロアリンクブラケットとの接続は、溶接により行われていた。
【０００３】
【発明が解決しようとする課題】
しかし、前述の如く、ロアリンクブラケットとメインビームとの間に介装される補強部材としてのステーは、ロアリンクブラケット及びメインビームに対して溶接により取り付けられていたので、該ステーとロアリンクブラケットとの接続部分、及びステーとメインビームとの接続部分に応力が集中し、また、一旦取り付けたステーは取り外すことができなかった。
【０００４】
【課題を解決するための手段】
本発明は、以上のような課題を解決するために、次のような手段を用いる。
【０００５】
左右のメインビーム（５ａ・５ａ）に、各々フロントパイプステー（５１・５１）を溶接等により固設し、該メインビーム（５ａ・５ａ）の前方において、ロアリンクブラケット（５ｂ・５ｂ）に取り付けたフロントパイプ（５２）を左右方向に横設し、該フロントパイプ（５２）はロアリンクブラケット（５ｂ・５ｂ）の左右外方へ延設し、該フロントパイプ（５２）とフロントパイプステー（５１・５１）とを連結し、メインビーム（５ａ・５ａ）とロアリンクブラケット（５ｂ・５ｂ）の取付強度を補強する構成において、該フロントパイプ（５２）のロアリンクブラケット（５ｂ・５ｂ）との接続部分に、第一フランジ（５２ａ・５２ａ）を形成し、該第一フランジ（５２ａ・５２ａ）とロアリンクブラケット（５ｂ・５ｂ）とをボルト（５４）等の締結部材により締結し、該フロントパイプ（５２）の前記フロントパイプステー（５１・５１）との接続部分には第二フランジ（５２ｂ・５２ｂ）を形成し、該第二フランジ（５２ｂ・５２ｂ）とフロントパイプステー（５１・５１）とを、ボルト（５４）等の締結部材により締結し、該ロアリンクブラケット（５ｂ・５ｂ）のフロントパイプ（５２）取付部分は、下方に開放した略半円形状の凹部（５ｅ）が形成し、該フロントパイプ（５２）をロアリンクブラケット（５ｂ・５ｂ）に取り付ける時には、該凹部（５ｅ）にフロントパイプ５２を下方から嵌入し、フロントパイプ（５２）のロアリンクブラケット（５ｂ・５ｂ）への着脱を行なうべく構成したものである。
【０００６】
【発明の実施の形態】
本発明の解決すべき課題及び手段は以上の如くであり、次に添付の図面に示した本発明の一実施例を説明する。
【０００７】
図１は本発明のロータリー耕耘装置を示す全体平面図、図２は同じく側面図、図３はメインビームとロアリンクブラケットとの接続部を示す側面図、図４は同じく平面図、図５はロータリーカバーとリヤカバーとの連結部を示す平面図である。
【０００８】
本発明のロータリー耕耘装置の構成について説明する。図１、図２に示すように、ロータリー耕耘装置のロータリー入力ギアケース５の内部には、左右中央部にＰＴＯ入力部が形成されていて、トラクタのＰＴＯ軸にユニバーサルジョイントを介して連結される入力軸４３が該ロータリー入力ギアケース５から前方に突出されている。ロータリー入力ギアケース５は左右に一対のロアリンクブラケット５ｂ・５ｂを固設し、該ロアリンクブラケット５ｂ・５ｂから左右外方へメインビーム５ａ・５ａが延設されている。左右一方のメインビーム５ａの外端部に下方延出状にチェーンケース４を設けるとともに、他外端部に側板４ａを設けている。該チェーンケース４と側板４ａとの間に、耕耘爪３ａを放射状に取り付けた耕耘爪軸３を横設し、耕耘爪駆動部を形成している。
【０００９】
チェーンケース４を取り付けた側のメインビーム５ａ内には、該チェーンケース４内のチェーン伝動装置に動力を伝達するための伝動軸４４が内設され、トラクタのＰＴＯ軸の動力を入力軸４３にて取り入れ、この伝動軸４４及びチェーン伝動装置を介して、耕耘爪軸３を駆動するものとなっている。また、左右のメインビーム５ａ・５ａには、それぞれフロントパイプステー５１・５１が固設され、該フロントパイプステー５１・５１と、メインビーム５ａ・５ａの前方に横設されロアリンクブラケット５ｂ・５ｂに取り付けられるフロントパイプ５２とが連結されており、メインビーム５ａ・５ａのロアリンクブラケット５ｂ・５ｂへの取り付け強度を補強している。
【００１０】
更に、前記ロアリンクブラケット５ｂ・５ｂの前端部には、ロータリー耕耘装置をトラクタの左右ロアリンクに連結するための、左右一対のロアリンクヒッチピン５ｃ・５ｃが突設されている。また、該ロータリー入力ギアケース５の左右中央の上部には支持台６を立設し、該支持台６の上に前部上方へ延出するアッパーアーム７を立設し、該アッパーアーム７の前上部には、トラクタのトップリンクに連結するためのトップリンク取付部７ｃを形成している。そして、トラクタの作業機装着装置のトップリンクのヒッチをトップリンク取付部７ｃに係止するとともに、該作業機装着装置のロアリンクのヒッチをロアリンクブラケット５ｃ・５ｃに係止するものとしている。
【００１１】
前記ロアリンクブラケット５ｂ・５ｂには、それぞれデプスフレーム３９・３９の前端が上下回動自在に枢支されている。左右のデプスフレーム３９・３９は、途中部で左右方向の連結フレーム３９ａにて一体的に連結されており、該デプスフレーム３９・３９は両ロアリンクブラケット５ｂ・５ｂに対して一体的に上下回動可能に構成されている。また、前記アッパーアーム７の後部にはアジャストスクリュウブラケット８がボルト等により着脱自在に取り付けられており、該アジャストスクリュウブラケット８と、連結フレーム３９ａの左右中央部との間に、伸縮自在のアジャストスクリュウ４１を枢結している。該アジャストスクリュウ４１はネジ杆となっていて、アジャストハンドル４２を持って回転操作すると、回転して伸縮する。その伸縮量に応じてロアリンクブラケット５ｂの枢支点に対してのデプスフレーム３９・３９の上下傾斜角が調節される。
【００１２】
即ち、アジャストスクリュウ４１の上端部は、アッパーアーム７とは別体に形成されたアジャストスクリュウブラケット８を介して該アッパーアーム７に取り付けられており、ロータリー耕耘装置に対して着脱可能とされている。このように、アジャストスクリュウ４１をロータリー耕耘装置に対して着脱可能とすることにより、アジャストスクリュウ４１が取り付けられたデプスフレーム３９・３９の上下傾斜角が調節可能な仕様と、アジャストスクリュウ４１を取り付けない仕様とを、ロータリー耕耘装置を組み立てた後でも、変更することができ、多様なニーズに応えることが可能となる。
【００１３】
また、耕耘爪軸３及び該耕耘爪軸３より突設する耕耘爪を覆うようにロータリーカバー１を配設し、チェーンケース４とその反対側の側板４ａにおける耕耘爪軸３の軸受け部分にロータリーカバー１を前後回動自在に枢支し、該ロータリーカバー１を耕耘爪３ａの駆動部に対して前後回動自在としており、ロータリーカバー１の後端にはリヤカバー２の前端を枢支している。
【００１４】
ロータリーカバー１とリヤカバー２との連結部においては、図５に示すように、リヤカバー２上端部に形成されるボス部２ａへ、ロータリーカバー１下端部に形成される連結ピン１ａを回動自在に挿入して、両者を連結している。そして、リヤカバー２のボス部２ａとロータリーカバー１の連結ピン１ａとの間には、高硬度で耐磨耗性に優れた所謂アイアンラバーにより形成されるブッシュ６１を介装して、ロータリーカバー１とリヤカバー２との連結部の耐久性を向上している。
【００１５】
リヤカバー２には、左右一対のハンガーステー３１・３１が形成されており、ロータリーカバー１には左右一対のハンガーブラケット１８・１８が固設されている。該ハンガーブラケット１８とハンガーステー３１との間にはハンガーロッド２０が介装されており、該ハンガーブラケット１８の先端部に横設されるホルダー軸１９にハンガーロッド２０が摺動自在に貫通するとともに、ハンガーステー３１にハンガーロッド２０の下端部が回動自在に支持されている。そして、リヤカバー２が回動すると、ハンガーロッド２０の上部がホルダー軸１９内を上下摺動する。
【００１６】
前記ハンガーロッド２０はリヤカバー２が回動すると前記ホルダー軸１９内を摺動するが、該ハンガーロッド２０にはスプリング２２を巻装して、リヤカバー２が後上方へ回動した際に、該スプリング２２によりリヤカバー２を下方側へ付勢可能に構成しており、該リヤカバー２により圃場を加圧可能としている。
【００１７】
また、アッパーアーム７の基端寄り部分にリテーナブラケット７ａを左右方向に横設して、左右一側を外側に突出させ、該リテーナブラケット７ａにロータリーカバー操作スクリュウ９のリテーナ延長パイプ９ｅを挿入して、該リテーナブラケット７ａによりロータリーカバー操作スクリュウ９を回動自在に支持している。該ロータリーカバー操作スクリュウ９はネジ杆（回動スクリュー）であって、先端に付設した操作ハンドル９ｃの回動操作によって伸縮するように構成している。ロータリーカバー操作スクリュウ９の基端は、ロータリーカバー１上に設けたブラケット１０に枢結され、ロータリーカバー操作スクリュウ９の伸縮量に応じてロータリーカバー１が前後回動する構成としている。そして、耕深設定時には、このロータリーカバー操作スクリュウ９の伸縮操作にてロータリーカバー１を前後回動し、その後部に配設したリヤカバー２の後端を圃場面に接する高さに合わせるのである。
【００１８】
次に、左右のメインビーム５ａ・５ａの補強構造について説明する。図３、図４に示すように、左右のメインビーム５ａ・５ａには、それぞれフロントパイプステー５１・５１が溶接等により固設されている。また、メインビーム５ａ・５ａの前方において、ロアリンクブラケット５ｂ・５ｂに取り付けられるフロントパイプ５２が左右方向に横設されており、該フロントパイプ５２はロアリンクブラケット５ｂ・５ｂの左右外方へ延出している。そして、該フロントパイプ５２とフロントパイプステー５１・５１とが連結されており、これによりメインビーム５ａ・５ａのロアリンクブラケット５ｂ・５ｂへの取り付け強度が補強されている。
【００１９】
フロントパイプ５２のロアリンクブラケット５ｂ・５ｂとの接続部分には第一フランジ５２ａ・５２ａが形成されており、該第一フランジ５２ａ・５２ａとロアリンクブラケット５ｂ・５ｂとをボルト５４等の締結部材により締結することで、フロントパイプ５２とロアリンクブラケット５ｂ・５ｂとを連結している。また、フロントパイプ５２のフロントパイプステー５１・５１との接続部分には第二フランジ５２ｂ・５２ｂが形成されており、該第二フランジ５２ｂ・５２ｂとフロントパイプステー５１・５１とをボルト５４等の締結部材により締結することで、フロントパイプ５２とフロントパイプステー５１・５１とを連結している。
【００２０】
また、ロアリンクブラケット５ｂ・５ｂのフロントパイプ５２取付部分は、下方に開放した略半円形状の凹部５ｅが形成されている。そして、フロントパイプ５２をロアリンクブラケット５ｂ・５ｂに取り付ける際には、該凹部５ｅにフロントパイプ５２を下方から嵌入するようにして、フロントパイプ５２のロアリンクブラケット５ｂ・５ｂへの着脱を容易にしている。
【００２１】
このように、ロアリンクブラケット５ｂ・５ｂにボルト５４等の締結部材にて締結して取り付けたフロントパイプ５２と、メインビーム５ａ・５ａに固設したフロントパイプステー５１・５１とをボルト５４等の締結部材にて締結することにより、即ち、ロアリンクブラケット５ｂとメインビーム５ａとの間にフロントパイプ５２及びフロントパイプステー５１を介装することにより、メインビーム５ａ・５ａのロアリンクブラケット５ｂ・５ｂに対する取付強度の補強を行っているので、連結部の応力を分散することができ、メインビーム５ａ・５ａ及びロアリンクブラケット５ｂ・５ｂの一部分に応力が集中することを防止することができる。また、補強部材としてのフロントパイプ５２は、ボルト５４等の締結部材により、メインビーム５ａ・５ａ及びロアリンクブラケット５ｂ・５ｂと接続されているので、メインビーム５ａ・５ａ及びロアリンクブラケット５ｂ・５ｂに対して着脱可能となる。
【００２２】
【発明の効果】
本発明は、以上のように構成したことにより、次のような効果が得られる。
左右のメインビーム（５ａ・５ａ）に、各々フロントパイプステー（５１・５１）を溶接等により固設し、該メインビーム（５ａ・５ａ）の前方において、ロアリンクブラケット（５ｂ・５ｂ）に取り付けたフロントパイプ（５２）を左右方向に横設し、該フロントパイプ（５２）はロアリンクブラケット（５ｂ・５ｂ）の左右外方へ延設し、該フロントパイプ（５２）とフロントパイプステー（５１・５１）とを連結し、メインビーム（５ａ・５ａ）とロアリンクブラケット（５ｂ・５ｂ）の取付強度を補強する構成において、該フロントパイプ（５２）のロアリンクブラケット（５ｂ・５ｂ）との接続部分に、第一フランジ（５２ａ・５２ａ）を形成し、該第一フランジ（５２ａ・５２ａ）とロアリンクブラケット（５ｂ・５ｂ）とをボルト（５４）等の締結部材により締結し、該フロントパイプ（５２）の前記フロントパイプステー（５１・５１）との接続部分には第二フランジ（５２ｂ・５２ｂ）を形成し、該第二フランジ（５２ｂ・５２ｂ）とフロントパイプステー（５１・５１）とを、ボルト（５４）等の締結部材により締結し、該ロアリンクブラケット（５ｂ・５ｂ）のフロントパイプ（５２）取付部分は、下方に開放した略半円形状の凹部（５ｅ）が形成し、該フロントパイプ（５２）をロアリンクブラケット（５ｂ・５ｂ）に取り付ける時には、該凹部（５ｅ）にフロントパイプ５２を下方から嵌入し、フロントパイプ５２のロアリンクブラケット５ｂ・５ｂへの着脱を行なうべく構成したので、連結部の応力を分散することができ、メインビーム及びロアリンクブラケットの一部分に応力が集中することを防止することができる。
さらに、補強部材としてのフロントパイプとメインビームとの接続部分は締結部材により締結されて接続されているので、溶接等を行うことが必要でなくなり組立コストを低減することができ、また、メインビーム対して着脱可能とすることができる。
【００２３】
また、左右一対のロアリンクブラケットから左右外方へ延出されるメインビームにステーを固設し、該ステーとロアリンクブラケットとをパイプ状部材を介して連結し、該パイプ状部材とロアリンクブラケット、及びパイプ状部材とステーとの連結部は締結部材により締結されるので、連結部の応力を分散することができ、メインビーム及びロアリンクブラケットの一部分に応力が集中することを防止することができる。
また、補強部材としてのフロントパイプと、メインビーム及びロアリンクブラケットとの接続部分は締結部材により締結されて接続されているので、溶接等を行うことが必要でなくなり組立コストを低減することができ、また、メインビーム及びロアリンクブラケット対して着脱可能とすることができる。。
また、ロアリンクブラケット５ｂ・５ｂのフロントパイプ５２取付部分は、下方に開放した略半円形状の凹部５ｅが形成されている。そして、フロントパイプ５２をロアリンクブラケット５ｂ・５ｂに取り付ける際には、該凹部５ｅにフロントパイプ５２を下方から嵌入するようにして、フロントパイプ５２のロアリンクブラケット５ｂ・５ｂへの着脱を容易にすることが出来たものである。
【図面の簡単な説明】
【図１】  本発明のロータリー耕耘装置を示す全体平面図である。
【図２】  同じく側面図である。
【図３】  メインビームとロアリンクブラケットとの接続部を示す側面図である。
【図４】  同じく平面図である。
【図５】  ロータリーカバーとリヤカバーとの連結部を示す平面図である。
【符号の説明】
１  ロータリーカバー
２  リヤカバー
５  ロータリー入力ギアケース
５ａ  メインビーム
５ｂ  ロアリンクブラケット
７  アッパーアーム
８  アジャストスクリュウブラケット
３９  デプスフレーム
３９ａ  連結フレーム
４１  アジャストスクリュウ
５１  フロントパイプステー
５２  フロントパイプ
５２ａ  第一フランジ
５２ｂ  第二フランジ
５４  ボルト
【図１】
0003909172.tif 000002
【図２】
0003909172.tif 000003
【図３】
0003909172.tif 000004
【図４】
0003909172.tif 000005
【図５】
0003909172.tif 000006